(57)【特許請求の範囲】
【請求項１】
当否判定に関する当否判定情報を所定数記憶可能な記憶手段と、
前記記憶手段に記憶されている前記当否判定情報のうち、当否判定結果の報知が開始されていない当否判定情報の存在を示す保留表示を表示装置に表示する保留表示制御手段と、
を備え、
前記保留表示は、第一の部分および第二の部分を含み、
前記保留表示制御手段は、
前記表示装置に表示される全ての前記保留表示について前記第一の部分と前記第二の部分の両方を表示する第一保留表示状態と、
前記表示装置に表示される全ての前記保留表示について前記第一の部分を表示し前記第二の部分を表示しないまたは前記第二の部分の表示を小さくする第二保留表示状態と
を切り替えることが可能であることを特徴とする遊技機。
【請求項２】
前記保留表示制御手段は、前記表示装置を用いた一または複数種の特定の演出が実行されているときに前記第二保留表示状態を設定し、当該特定の演出が実行されていないときに前記第一保留表示状態を設定することを特徴とする請求項１に記載の遊技機。
【発明の詳細な説明】
【技術分野】
【０００１】
本発明は、当否判定情報の存在を示す保留表示を表示装置に表示する遊技機に関する。
【背景技術】
【０００２】
下記特許文献１等に記載されるように、未だ当否判定結果の報知が開始されていない（いわゆる変動が開始されていない）当否判定情報の存在を示す保留表示を、メインの表示装置に表示する遊技機が公知である。
【先行技術文献】
【特許文献】
【０００３】
【特許文献１】特開２０１４−２２６３４４号公報
【発明の概要】
【発明が解決しようとする課題】
【０００４】
このような保留表示を表示装置に表示すると、保留表示を表示する領域以外の領域が小さくなってしまう。つまり、保留表示を表示するために演出等を実行するための表示領域が小さくなってしまい、演出の趣向性が低下する。また、いわゆるスーパーリーチ等、所定の演出が実行される場合に一時的に保留表示を無くすことで、演出を実行するための表示領域の狭小化を抑制する手法も考えられるが、所定の演出が実行されている間は保留されている当否判定情報が幾つ存在しているのかを把握することが困難になってしまうため、遊技者にとって都合が悪いことがある。
【０００５】
本発明が解決しようとする課題は、当否判定情報の存在を示す保留表示を表示装置に表示する遊技機において、保留表示によって演出に使用する表示領域が小さくなってしまうのを抑制することにある。
【課題を解決するための手段】
【０００６】
上記課題を解決するためになされた本発明にかかる遊技機は、当否判定に関する当否判定情報を所定数記憶可能な記憶手段と、前記記憶手段に記憶されている前記当否判定情報のうち、当否判定結果の報知が開始されていない当否判定情報の存在を示す保留表示を表示装置に表示する保留表示制御手段と、を備え、前記保留表示は、第一の部分および第二の部分を含み、前記保留表示制御手段は、前記表示装置に表示される全ての前記保留表示について前記第一の部分と前記第二の部分の両方を表示する第一保留表示状態と、前記表示装置に表示される全ての前記保留表示について前記第一の部分を表示し前記第二の部分を表示しないまたは前記第二の部分の表示を小さくする第二保留表示状態とを切り替えることが可能であることを特徴とする。
【０００７】
このような遊技機によれば、第二保留表示状態とすることで、保留表示の第二の部分が表示されないまたは小さくなる分、演出等に使用できる表示領域が小さくなってしまうのを抑制することが可能である。また、第二保留表示状態とした場合であっても、保留表示の第一の部分が表示されるため、遊技者が保留されている当否判定情報の数を把握することが困難となることもない。
【０００８】
前記保留表示制御手段は、前記表示装置を用いた一または複数種の特定の演出が実行されているときに前記第二保留表示状態を設定し、当該特定の演出が実行されていないときに前記第一保留表示状態を設定するものであるとよい。
【０００９】
このような構成とすれば、特定の演出が実行されるときに、当該演出に使用するための表示領域が小さくなってしまうのを抑制することが可能である。
【発明の効果】
【００１８】
本発明にかかる遊技機によれば、保留表示によって演出に使用する表示領域が小さくなってしまうのを抑制することが可能である。
【図面の簡単な説明】
【００１９】
【図１】本実施形態にかかる遊技機の正面図である。
【図２】表示装置（表示領域）に表示された保留表示を示した模式図である。
【図３】第一保留表示状態と第二保留表示状態を示した模式図である。
【図４】特定の演出の開始から終了まで第二保留表示状態に設定される流れを示した模式図である。
【図５】保留表示状態切り替え制御のフローチャートである。
【図６】第一具体例にかかる保留表示の機能を説明するための模式図である。
【図７】第二具体例にかかる保留表示の機能を説明するための模式図である。
【図８】特定の演出中に保留表示の第二の部分が特殊態様に変化する例を示した模式図である。
【図９】（ａ）は、第二の部分に設定された複数種の基本的態様を示した模式図であり、（ｂ）はある基本的態様に通常態様と特殊態様が設定された場合の例を示した模式図である。
【図１０】遊技の進行に伴って、第二の部分の基本的態様が変化していく様子を示した模式図である。
【発明を実施するための形態】
【００２０】
以下、本発明にかかる遊技機１の一実施形態について図面を参照して詳細に説明する。まず、図１を参照して遊技機１の全体構成について簡単に説明する。
【００２１】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００２２】
遊技領域９０２には、表示装置９１、始動入賞口９０４、大入賞口９０６、アウト口などが設けられている。かかる表示装置９１の表示領域９１１は、遊技盤９０に形成された開口９０１を通じて視認可能となる領域である。なお、図２〜図４、図６〜図８は、表示領域９１１を大まかに記載するが、その形状等は適宜変更可能である（開口９０１の形状や大きさ、表示装置９１自体の形状や大きさを変更することで表示領域９１１の形状等を変更することができる）。
【００２３】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２４】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００２５】
大当たりの抽選は、図示されない制御基板に設けられた当否判定手段が始動入賞口９０４への遊技球の入賞を契機として実行する（このような始動入賞口は複数設けられていてもよい）。具体的には、始動入賞口９０４への遊技球の入賞を契機として乱数源から数値（本発明における当否判定情報に相当する）が取得され、当該数値が予め定められた大当たりの数値と同じである場合には大当たりとなり、異なる場合にははずれとなる。本実施形態では、当該数値が取得された順に当否判定結果の報知が開始される（いわゆる変動が開始される）こととなるが、ある数値が取得されたときに、それより前に取得された数値に基づく当否判定結果が報知されている際には、当該ある数値に基づく当否判定結果が開始されるまで、図示されない制御基板に設けられた記憶手段に記憶される。未だ当否判定の報知が開始されていない数値（以下単に保留と称することもある）の最大の記憶数（最大保留数）は適宜設定することができる。本実施形態における記憶手段が記憶することができる最大保留数は、一種の始動入賞口につき四つである。なお、本実施形態では、当否判定の報知が開始される時点で、取得された数値が大当たりとなる数値か否かが判断されることとなるが、数値が取得されたときに当否判定を行い、当否判定結果自体を記憶させておく構成としてもよい（この場合には当否判定結果自体が、当否判定情報に相当することとなる）。また、取得された数値は、当否判定結果を報知する演出の具体的な内容を決定するための数値としても利用される。
【００２６】
なお、遊技機１の枠体、遊技球を貯留する下皿や上皿など、本発明に関係のない遊技機１の構成要素は説明を省略する。これらについては公知の遊技機と同様の構造のものが適用できる。
【００２７】
本実施形態にかかる遊技機１では、記憶手段に記憶されている保留（当否判定結果の報知が開始されていない取得された数値（当否判定情報）の数）が表示装置９１の表示領域９１１に表示される。具体的には、図２に示すように、当否判定を実行するための数値が取得された順に並ぶよう、保留表示１０が表示装置９１に表示される。本実施形態では、表示装置９１の表示領域９１１の右下に、表示領域９１１の下側縁に沿って並ぶよう（当否判定結果の報知の開始が早い順に左から並ぶよう）表示される。遊技者は、当該保留表示１０の数により、記憶されている当否判定情報の数（いわゆる保留数）を認識することとなる。
【００２８】
本実施形態における保留表示１０は、少なくとも第一の部分１１と第二の部分１２を含む。第一の部分１１と第二の部分１２は、遊技者から見て区別できるような態様とすることが望ましい。本実施形態では、第一の部分１１は所定のマークを含む部分であり、第二の部分１２は所定のキャラクタを含む部分である。
【００２９】
本実施形態では、各保留表示１０は、第一の部分１１と第二の部分１２が連続的に（隙間なく）並ぶような図柄（絵柄）である。第一の部分１１と第二の部分１２の両方とも、当否判定結果を報知するための各種演出等が実行されるメインの表示装置９１の表示領域９１１に表示される。本実施形態では、第一の部分１１が下側に位置するようにして、第一の部分１１と第二の部分１２が上下方向に並ぶ。つまり、第二の部分１２よりも第一の部分１１の方が、表示領域９１１の外縁側（外側）に位置するよう表示される。
【００３０】
保留表示１０は図示されない制御基板に設けられる保留表示制御手段によって制御される。保留表示制御手段は、保留表示１０の態様や、当否判定結果の報知がなされ、保留の順番が一つ繰り上がることによる保留表示１０の移動等、表示装置９１における保留表示１０の表示に関する制御を行うものである。本実施形態における保留制御手段は、第一の部分１１と第二の部分１２の両方を表示する第一保留表示状態（図３（ａ）参照）と、第一の部分１１を表示し第二の部分１２を表示しない第二保留表示状態（図３（ｂ）参照）とを切り替えることが可能である。図示しないが、第二保留表示状態時における第二の部分１２が、第一保留表示状態時における第二の部分１２に比して小さくなるように設定されてもよい。なお、本実施形態では、第一保留表示状態時における第一の部分１１と第二の部分１２の大きさは同じであるが、異なる大きさとしてもよい。
【００３１】
第一保留表示状態と第二保留表示状態を切り替える契機（タイミング）は、適宜設定することが可能である。本実施形態では、通常の保留表示状態として第一保留表示状態が設定され、表示装置９１を用いた一または複数種の「特定の演出」が実行されているときに第二保留表示状態が設定される。「特定の演出」はどのようなものであってもよい。本実施形態では、当否判定結果が大当たりである蓋然性の大小を、映像等を表示装置９１に表示することで示す一または複数種のいわゆるスーパーリーチ演出が特定の演出として設定されている。スーパーリーチ演出は、遊技の趣向性を決める大きな要素であり、表示装置９１に表示される映像の内容等の質を高めることが必要である。つまり、特定の演出であるスーパーリーチ演出の内容を充実させるためには、映像等を表示してもよい領域（以下、演出領域と称することもある）をできるだけ大きくすることが望ましい。
【００３２】
表示領域９１１に保留表示１０が表示されていると、当該保留表示１０が表示されている領域に映像等を表示しなかったり、保留表示１０の後方に重なるように映像等を表示したりする。いずれの場合も、演出の質を低下させてしまう要因となるおそれがある。しかし、本実施形態では、図４に示すように、特定の演出が実行されていないときには第一保留表示状態に設定されるものの（図４（ａ）（ｂ）参照）、特定の演出が実行されている際、保留表示１０の表示状態を第二保留表示状態に設定される（図４（ｃ）（ｄ）参照）。つまり、保留表示１０の第一の部分１１は表示されているが、第二の部分１２は表示されていない状態に設定する。したがって、保留表示１０の第一の部分１１と第二の部分１２の両方が表示されている場合（第一保留表示状態）と比較し、保留表示１０によって「食われる」表示領域９１１が小さくなる。つまり、比較的大きな演出領域を確保することが可能である。
【００３３】
また、第二保留表示状態とした場合であっても、保留表示の第一の部分１１が表示されるため、遊技者が保留されている当否判定情報の数を把握することが困難になることもない。
【００３４】
しかも、本実施形態では、保留表示１０の第二の部分１２よりも第一の部分１１の方が、表示装置９１の表示領域９１１における外縁側（外側）に表示されるように設定されている。つまり、第二保留表示状態となったとき、保留表示１０における表示されない部分である第二の部分１２が、表示領域９１１の中央側（内側）に位置する設定となっている。保留表示１０を小さくすれば演出領域となる領域が広くなるものの、保留表示１０が表示される位置が表示領域９１１の中央寄りであればまとまった演出領域が確保できないおそれがある。本実施形態では、特定の演出時に、表示領域９１１の中央側（内側）に位置する第二の部分１２が表示されなくなるため、まとまった大きな演出領域を確保することが可能となる。
【００３５】
保留表示制御手段による、第一保留表示状態と第二保留表示状態の切り替え制御の一例は図５に示す通りである。保留制御手段は、特定の演出が開始されたかどうか（特定の演出が開始するタイミングかどうか）を変動中に判断する（Ｓ１）。具体的には、演出を制御する制御手段から、特定の演出の実行が開始される旨のコマンドを受信したことに基づいて、特定の演出が実行されるタイミングかどうかを判断する。特定の演出が開始されたと判断された場合（Ｓ１「Ｙｅｓ」）には、第二保留表示状態をセットする（Ｓ２）。つまり、保留表示１０の第一の部分１１は表示されているが、第二の部分１２は表示されていない状態に設定する（第二の部分１２を非表示とする）。その後、特定の演出が終了したかどうか（終了するタイミングかどうか）を判断する（Ｓ３）。具体的には、演出を制御する制御手段から、特定の演出の実行が終了した旨のコマンドを受信したかどうかまたは特定の演出の実行時間が経過したかを判断する。特定の演出が終了したと判断された場合（Ｓ３「Ｙｅｓ」）には、第一保留表示状態をセットする（Ｓ４）。つまり、保留表示１０の第一の部分１１と第二の部分１２の両方が表示された状態に設定する（再び第二の部分１２を表示する）。このように制御することで、特定の演出が実行されていないときには第一保留表示状態が設定され、特定の演出が実行されているときには第二保留表示状態が設定される構成となる。
【００３６】
保留表示１０の第一の部分１１や第二の部分１２は、次の第一具体例や第二具体例に示すような機能を発揮ものであってもよい。第一具体例は、保留表示１０の第一の部分１１の態様は一定であるものの、第二の部分１２の態様は複数種設定されたものである。なお、第一の部分１１の態様や第二の部分１２の「態様の種類の違い」とは、遊技者から見て、保留表示１０を構成する図柄（絵柄）の態様の変化が認識できるものであればどのようなものであってもよい。後述するように、かかる態様の違いが、当否判定結果を示唆するもの（いわゆる大当たり信頼度を示すもの）であればよい。
【００３７】
例えば、第二の部分１２の態様として、通常態様（基本的な態様）以外に、第二の部分１２を構成する図柄が青くなる第一特殊態様、図柄が緑になる第二特殊態様、図柄が赤になる第三特殊態様・・・等の特殊態様１２ｓが設定された構成としたり、通常態様とは異なる態様の一または複数種のキャラクタを特殊態様１２ｓとして設定された構成（図６（ａ）参照）としたりすることができる。第二の部分１２が通常態様である場合よりも、特殊態様１２ｓとなった方が、当該保留表示１０に対応する当否判定結果が大当たりとなる蓋然性が高くなるように設定されていればよい。また、ある特殊態様１２ｓよりも別の特殊態様１２ｓの方が大当たりとなる蓋然性が高くなるように設定されていても（特殊態様１２ｓ間でいわゆる大当たり信頼度が異なっていても）よい。
【００３８】
このように、保留表示１０の第一の部分１１の態様は変化しないが、第二の部分１２の態様は変化する可能性がある設定とすることで、次のような作用が奏される。上述したように、第二の部分１２は、特定の演出中には表示されない部分であるため、特定の演出が実行されていないときに当該第二の部分１２が上記特定の態様となっていたとしても（図６（ａ）参照）、特定の演出中にはそれが表示されないこととなる（図６（ｂ）参照）。したがって、保留表示１０に対する遊技者の興味が薄れ、表示装置９１において実行される特定の演出への興味を惹きつけることが可能となる（保留表示１０に気を取られることで、特定の演出への興味が低下してしまうのを抑制することが可能である）。
【００３９】
第二具体例は、第一具体例とは逆に、保留表示１０の第二の部分１２の態様は一定であるものの、第一の部分１１の態様は複数種設定されたものである。つまり、第一の部分１１が上述したような特殊態様１１ｓに変化しうる（第一特殊態様、第二特殊態様、第三特殊態様・・・等の複数種の特殊態様１１ｓに変化しうる）ように設定されたものである。
【００４０】
このように、保留表示１０の第二の部分１２の態様は変化しないが、第一の部分１１の態様は変化する可能性がある設定とすることで、次のような作用が奏される。上述したように、第一の部分１１は、特定の演出中であっても表示される部分である。したがって、特定の演出が実行されていないときに第一の部分１１が特殊態様１１ｓに変化し（図７（ａ）参照）、そのまま特定の演出が開始されたときには、特殊態様１１ｓに変化した第一の部分１１がそのまま表示されることとなる（図７（ｂ）参照）。よって、遊技者は、特定の演出中も、それ以降（特定の演出が終了した後）の当否判定に、大当たりとなる蓋然性が高まったものが存在するか否かを判断することが可能である。また、特定の演出中に表示されなくなるのは態様が変化しない第二の部分１２であるため、特定の演出が開始されることによって違和感が生じてしまうのを抑制することが可能である。
【００４１】
また、本例によれば、特定の演出中に第一の部分１１の態様が変化し、当該変化した第一の部分１１を含む保留表示１０に対応する当否判定結果が大当たりとなる蓋然性が高まる、といった演出を実行することが可能である。例えば、図８に示すように、特定の演出中に保留表示１０に向かって移動する演出図柄２０（当該演出図柄２０は特定の演出を構成するものであってもよいし、そのようなものでなくてもよい）が表示され、当該演出図柄２０の作用によって第一の部分１１が特殊態様１１ｓに変化するような演出を実行することが可能である。したがって、特定の演出を、単に当否判定結果を報知するための演出としてだけでなく、保留表示１０の変化と絡めた演出とすることが可能である。また、特定の演出中に、当該特定の演出とは異なる独立した演出を発生させ、第一の部分１１を特殊態様１１ｓに変化させることも可能である。このように、本例によれば、演出の幅が広がり、遊技の趣向性を向上させることが可能である。
【００４２】
上記第一の具体例および第二の具体例は、同じ遊技機に適用することもできる。例えば、あるモードにおいては、特定の演出中、特殊態様１２ｓとなりうる第二の部分１２が表示されない第一具体例を適用し、別のモードにおいては、特定の演出中、特殊態様１１ｓとなりうる第一の部分１１が表示される第二具体例を適用した構成とすることもできる。つまり、第一具体例および第二具体例それぞれの利点（作用）が発揮されうる複数のモードを搭載した遊技機としてもよい。
【００４３】
なお、上記第一具体例および第二具体例を適用せず、第一の部分１１と第二の部分１２の両方が特殊態様となりうる設定としてもよい。このような構成とすれば、第一の部分１１と第二の部分１２の両方によって当否判定が大当たりとなる蓋然性（いわゆる大当たり信頼度）を示唆することができるから、演出のバリエーションが増加し、遊技の趣向性を高めることが可能である。
【００４４】
また、第一の部分１１と第二の部分１２の両方とも態様が一定である設定としてもよい。
【００４５】
以上、本発明の実施の形態について詳細に説明したが、本発明は上記実施の形態に何ら限定されるものではなく、本発明の要旨を逸脱しない範囲で種々の改変が可能である。
【００４６】
例えば、上記実施形態では、保留表示１０が第一の部分１１と第二の部分１２を含むものであることを説明したが、それ以外の部分（それ以外の保留表示）が存在していてもよい。
【００４７】
また、第一の部分１１と第二の部分１２のいずれか一方を以下のように構成してもよい。例えば、基本的態様として複数種の態様が設定されている第二の部分１２′とする。かかる基本的態様という概念は、通常の態様と（いわゆる大当たり信頼度が高まったことを示唆する）特殊態様という概念とは別の概念であって、遊技者が同種のキャラクタ等を示すものであることを理解できればよい。例えば、図９（ａ）に示すように、第二の部分１２′の基本的態様としてＡ〜Ｈのキャラクタが設定されているとする。図９（ｂ）に示すように、基本的態様が同じものに対し、通常態様と（いわゆる大当たり信頼度が高まったことを示唆する）特殊態様という概念が設定されていてもよい。
【００４８】
第二の部分１２′は、新たな保留表示１０′が表示される度にその基本的態様が変化していく。具体的には、Ａ、Ｂ、Ｃ・・・・Ｈ、Ａ、Ｂ・・・の順で基本的態様が変化していく（図９（ａ）、図１０参照）。つまり、保留表示１０′が表示されるある表示位置に対し、特定の基本的態様が対応づけられたものではない（例えば、次に当否判定の報知が開始される位置に表示される保留表示１０′（いわゆる保１の保留）の第二の部分１２′の基本的態様が必ずキャラクタＡとなるといったものではない）。
【００４９】
また、本実施形態では、設定された基本的態様の種類の数（八種）は、最大保留数（四つ）よりも多い。そのため、常に最大の保留表示１０′が表示されている状態にあっても、同種の基本的態様が同時に表示されることはない。
【００５０】
このように、保留表示１０′の第二の部分１２′の基本的態様が変化していく構成とすることにより、保留表示１０′の内容が単調になることを抑制することが可能である。つまり、保留表示１０′によって遊技の趣向性が高められる。また、設定された基本的態様の種類の数（八種）は、最大保留数（四つ）よりも多く、同種の基本的態様が同時に表示されることはないから、同種の基本的態様が同時に表示されることにより、遊技者の興味が薄れてしまうのを抑制することが可能である。
【００５１】
そして、上記実施形態のように、保留表示１０′が第一の部分１１と第二の部分１２′を含むものであり、その一方の部分である第二の部分１２′の基本的態様は新たな入賞が検出される度に変化するものの、他方の部分である第一の部分１１の基本的態様は変化しないから、第二の部分１２′の基本的態様の変化が強調される。つまり、基本的態様が変化しない第一の部分１１の存在によって、第二の部分１２′基本的態様の変化が強調され、当該変化に対する遊技者の注目を高めることが可能である。また、上記実施形態では、第二の部分１２′の表示領域の方が第一の部分１１の表示領域よりも大きく設定されているから、第二の部分１２′が特定の演出中に表示されなくなることで、特定の演出を行う表示領域を確保し易くすることが可能となる。
【００５２】
このような基本的態様の変化は、保留表示１０′の態様が単調となってしまうのを抑制する効果を発揮する。また、複数種の基本的態様を属性によって分類し、当該属性に依存する法則性に基づき基本的態様が表示される順番を設定することで、遊技の物語性を遊技者が理解する助けとなる。例えば、遊技のモチーフとなった物語の登場キャラクタとして、複数種の味方キャラクタと複数種の敵方キャラクタが設定されており、味方キャラクタを基本的態様Ａ〜Ｄに、敵方キャラクタを基本的態様Ｅ〜Ｈに設定したとする。このような場合、保留表示１０′の第二の部分１２′として表示される順をアルファベット順にすれば、味方キャラクタと敵方キャラクタが連続して表示されることとなるため、遊技者が味方キャラクタと敵方キャラクタを区別する助けになる。味方キャラクタと敵方キャラクタが交互に表示されるような設定としてもよい。
【００５３】
また、このようなキャラクタの属性を利用した属性利用演出が実行可能であるとよい。属性利用演出としては、一または複数の味方キャラクタと一または複数の敵キャラクタが戦い、味方キャラクタが勝利した場合に遊技者に有利な事象が発生するいわゆるバトル演出が例示できる。このような演出が実行される遊技機では、遊技者がキャラクタの区別がつかない、といった事態が発生しうるところ、上記のように保留表示１０′の第二の部分１２′の基本的態様が表示される順番が当該区別する助けとなるため、このような事態が発生してしまうのを抑制することが可能である。
【００５４】
また、上記実施形態では、各保留表示１０は表示領域９１１の下側縁に沿って（右下に）表示されることを説明したが、当該表示箇所は例示にすぎない。表示領域９１１の左または右側縁に沿って表示される構成や、上側縁に沿って表示される構成にも同様の技術思想が適用可能である。
【００５５】
また、上記実施形態では、第二の部分１２が特定の演出中には表示されないように構成されていることを説明したが、特定の演出中に表示される第二の部分１２の大きさを、特定の演出中以外のとき（例えば、通常状態中）における第二の部分１２の大きさよりも小さくするように構成してもよい。つまり、第二保留表示状態時における第二の部分１２の大きさが、第一保留表示状態時における第二の部分１２の大きさよりも小さくするようにしてもよい。特定の演出中における第二の部分１２の大きさを小さくする際は、当該第二の部分１２の大きさが第一の部分１１より小さくなるように構成する等してもよい。
上記実施形態から得られる具体的手段（遊技機）を以下に列挙する。
手段１にかかる遊技機は、当否判定に関する当否判定情報を所定数記憶可能な記憶手段と、前記記憶手段に記憶されている前記当否判定情報のうち、当否判定結果の報知が開始されていない当否判定情報の存在を示す保留表示を表示装置に表示する保留表示制御手段と、を備え、前記保留表示は、第一の部分および第二の部分を含み、前記保留表示制御手段は、前記第一の部分と前記第二の部分の両方を表示する第一保留表示状態と、前記第一の部分を表示し前記第二の部分を表示しないまたは前記第二の部分の表示を小さくする第二保留表示状態とを切り替えることが可能であることを特徴とする。
手段１にかかる遊技機によれば、第二保留表示状態とすることで、保留表示の第二の部分が表示されないまたは小さくなる分、演出等に使用できる表示領域が小さくなってしまうのを抑制することが可能である。また、第二保留表示状態とした場合であっても、保留表示の第一の部分が表示されるため、遊技者が保留されている当否判定情報の数を把握することが困難となることもない。
手段２にかかる遊技機は、手段１に記載の遊技機において、前記保留表示制御手段は、前記表示装置を用いた一または複数種の特定の演出が実行されているときに前記第二保留表示状態を設定し、当該特定の演出が実行されていないときに前記第一保留表示状態を設定するものであることを特徴とする。
手段２にかかる遊技機によれば、特定の演出が実行されるときに、当該演出に使用するための表示領域が小さくなってしまうのを抑制することが可能である。
手段３にかかる遊技機は、手段１または手段２に記載の遊技機において、前記保留表示の前記第二の部分よりも前記第一の部分の方が、前記表示装置の表示領域における外縁側に表示されるように設定されていることを特徴とする。
手段３にかかる遊技機によれば、第二保留表示状態において、保留されている当否判定情報の数を示す保留表示の第一の部分が表示領域における外縁側に位置することとなるため、表示領域の中央側を広く演出等に利用することが可能である。
手段４にかかる遊技機は、手段１から手段３のいずれかに記載の遊技機において、前記保留表示の前記第一の部分の態様は一定である一方、前記第二の部分の態様は複数種設定されており、当該第二の部分の態様によって前記当否判定が当たりである蓋然性を示唆することを特徴とする。
手段４にかかる遊技機によれば、保留表示の第二の部分が表示されないまたは小さくなる第二保留表示状態においては、当否判定が当たりである蓋然性を示唆する第二の部分の態様が表示されないまたは小さくなる状態となるから、保留表示に対する遊技者の興味が薄れ、表示装置において実行される演出等への興味を惹きつけることが可能となる。
手段５にかかる遊技機は、手段１から手段３のいずれかに記載の遊技機において、前記保留表示の前記第二の部分の態様は一定である一方、前記第一の部分の態様は複数種設定されており、当該第一部分の態様によって前記当否判定が当たりである蓋然性を示唆することを特徴とする。
手段５にかかる遊技機によれば、常に表示されることとなる保留表示の第一の部分の態様の変化によって、当否判定が当たりである蓋然性を示唆することができるから、表示装置を用いた演出中に第一の部分の態様が変化する、といった演出を実行することが可能である。
手段６にかかる遊技機は、手段１から手段３のいずれかに記載の遊技機において、前記第一の部分の態様と前記第二の部分の態様は複数種設定されており、当該第一部分の態様や第二の部分の態様によって前記当否判定が当たりである蓋然性を示唆することを特徴とする。
手段６にかかる遊技機によれば、第一の部分の態様と第二の部分の態様の両方によって当否判定が当たりである蓋然性を示唆することができるという点で、遊技の趣向性を高めることが可能である。
【符号の説明】
【００５６】
１  遊技機
１０（１０′）  保留表示
１１  第一の部分
１１ｓ  （第一の部分の）特殊態様
１２（１２′）  第二の部分
１２ｓ  （第二の部分の）特殊態様
９１  表示装置
９１１  表示領域
【図１】
0006041323.tif 000002
【図２】
0006041323.tif 000003
【図３】
0006041323.tif 000004
【図４】
0006041323.tif 000005
【図５】
0006041323.tif 000006
【図６】
0006041323.tif 000007
【図７】
0006041323.tif 000008
【図８】
0006041323.tif 000009
【図９】
0006041323.tif 000010
【図１０】
0006041323.tif 000011